(57)【要約】      （修正有）【課題】安全で、皮を簡単に引き剥がせることが可能で、玉葱の芯取り用とピーマンのヘタ取り用とに使い分け可能な、野菜のへた取りを提供すること。【解決手段】掌から両端がはみ出る長さの円筒体であって、一端側が縁から少し内側の領域が角張って、角張った四方面の各々の中央部に向って、四つの角頂から浅くＶ字谷状に切り欠いた型抜きＶ字刃１が設けてあり、他端の円筒縁部に浅いＶ字谷の連続で成る型抜きギザ刃２が設けられ、型抜きギザ刃の縁端部内に根元を固定されて螺旋状のコイル刃３が設けられ、形抜きＶ字刃と形抜きギザ刃の根元際に取出し窓４が設けられ、形抜きＶ字刃と型抜きギザ刃の中間に、円筒体を取り外し式に分離する嵌着部５が設けられる事を特徴とする野菜のヘタ取り。【選択図】図１
2020130984.tif 000002
【特許請求の範囲】
【請求項１】
掌から両端がはみ出る程の長さの円筒体であって、一端側において縁から少し内側に入った領域に限って四角張っており、四角張った四方面の各々の中央部に向って、四つの角頂から浅くＶ字谷状に切り欠いた形で型抜きＶ字刃が設けてあり、他端の円筒縁部において、浅いＶ字谷の連続で成る型抜きギザ刃が設けてあり、型抜きギザ刃の縁端部内に根元を固定されて型抜きギザ刃より外へ突き出る螺旋状のコイル刃が設けてあり、型抜きＶ字刃と型抜きギザ刃の各々の根元域に、指を自由に抜き差しし、円筒内を探れる位の窓が切り抜かれた形で取り出し窓が設けてあることを特徴とする野菜のヘタ取り。
【請求項２】
円筒体の中間地点に、分離可能な取り外し式に嵌着する嵌着部を設けたことを特徴とする請求項１に記載の野菜のヘタ取り。
【発明の詳細な説明】
【技術分野】
【０００１】  本発明は、玉葱の芯、ピーマンのヘタも種も合わせて取り除く、野菜のヘタ取りに関するものである。
【背景技術】
【０００２】  玉葱は上下を切り落とし、皮を剥いて芯を取り除いている。
ピーマンは形を壊さずにヘタと種（以下、ヘタと称す）だけを取り除く事がある。
なお、内部にねじ山を設けた円筒形状の抜き型でピーマンのヘタを取るピーマンの種取り具が知られている（特許文献１）。
【先行技術文献】
【特許文献】
【０００３】
【特許文献１】特開平１０−０１４７５２号公報
【発明の概要】
【発明が解決しようとする課題】
【０００４】  玉葱を丸ごと掴んで上下の部分を切り落とす、俎板の上で不安定な玉葱を押さえて上下を切り落とす、包丁を突き立てて芯をくり抜くなど、これらの作業はどれも思わぬケガをしてしまう恐れがある。
ピーマンは、ヘタを除去する時、ヘタに刃先を突き立てくり抜く他、ヘタを強く押して除去するのであるが、中に落ちてしまうヘタは取り出す時にピーマンの上部が割れて見栄えが悪い。
特許文献１に示される先行技術は、ピーマンの内部にヘタを押し込んでしまうだけでピーマンが割れ易く、ねじ山は切り離したヘタを保持してピーマン内部から引き出すには無理があり確実性に欠ける。
本発明は、以上の問題点を解決するためになされたものである。
【課題を解決するための手段】
【０００５】  掌から両端がはみ出る程の長さの円筒体であって、一端側において縁から少し内側に入った領域に限って四角張っており、四角張った四方面の各々の中央部に向って、四つの角頂から浅くＶ字谷状に切り欠いた形で型抜きＶ字刃が設けてあり、他端の円筒縁部において、浅いＶ字谷の連続で成る型抜きギザ刃が設けてあり、型抜きギザ刃の縁端部内に根元を固定されて、型抜きギザ刃より外へ突き出る螺旋状のコイル刃が設けてあり、型抜きＶ字刃と型抜きギザ刃の各々の根元域に、指を自由に抜き差しし、円筒内を探れる位の窓が切り抜かれた形で取り出し窓が設けてあり、円筒体中間地点に、分離可能な取り外し式に嵌着する嵌着部が設けられている。
以上の構成よりなる野菜のヘタ取り。
【発明の効果】
【０００６】  型抜きＶ字刃を押し込んで、９０度ひねるか、しゃくるかして玉葱の芯を切除するので、手に刃が当たる心配もなく安全であり、四角形状の切除痕は、皮が摘み易く簡単に引き剥がす事が出来る。
また、切り取った芯はその都度取り出し窓から取り出す必要が無く、芯は順次上方へ押し上げられるのでそのまま続けて作業ができる。
型抜きギザ刃とコイル刃は、回転しながらピーマン内部に食い込み、コイル刃は種に絡み付き離さず、型抜きギザ刃はヘタをきれいに型抜き、ヘタはピーマンから引き出した型抜きギザ刃に絡み付いたまま出て除去されるが、絡みついたヘタはその都度コイル刃から外す事無く、そのまま続けてヘタ取り作業が出来る。
尚、円筒体中央の嵌着部で分離して、玉葱の芯取り用とピーマンのヘタ取り用とに使い分ける形でそれぞれが単体としての使用を成す。
【図面の簡単な説明】
【０００７】
【図１】  本発明の斜視図
【図２】  本発明の使用状態を示すイメージ図
【図３】  本発明の使用状態を示す別のイメージ図
【図４】  本発明において分離をした一方を見せる斜視図
【図５】  本発明において分離をした他方を見せる斜視図
【発明を実施するための形態】
【０００８】  以下、本発明の実施の形態を説明する。
（イ）  図１で示すように、大きくは、長さ約１６０ミリ・直径約２０ミリの厚みの薄い円筒体を成す。
（ロ）  図１で示すように、一端側において、縁から約２０ミリ領域が、一辺約１８ミリの四角形筒状を成し四角張っており、四角張った四方面の各々の中央部に向って、四つの角頂から深さ約１０ミリのＶ字谷状に切り欠いた形で型抜きＶ字刃（１）が設けてある。
（ハ）  図１で示すように、他端の円筒縁部において、浅いＶ字谷の連続で成る型抜きギザ刃（２）が設けてある。
（ニ）  図１で示すように、型抜きギザ刃（２）の数ミリ奥の内壁に根元を固定された螺旋状の細いコイル即ちコイル刃（３）が型抜きギザ刃（２）先端から約２０ミリ先へ数回螺旋して突き出ている。
（ホ）  型抜きＶ字刃（１）と型抜きギザ刃（２）の各々の根元際に長さ約２５ミリ・幅約２０ミリの窓が切り抜かれた形で取り出し窓（４）が設けてある。
（ヘ）  図１で示すように、円筒体の中間地点に、分離可能な取り外し式に嵌着する嵌着部（５）を設け、図４・図５で示すように、それぞれが単体として使い分けできる。
本発明は、以上のような構成である。
本発明を使用する時は、玉葱を台の上に置くか、図２で示すように、手（Ｃ）に持って、型抜きＶ字刃（１）を玉葱の芯（Ａ）に直交して当て、型抜きＶ字刃（１）が全部埋まる位押し込み、約９０度捻るか、杓って引き抜けば、玉葱の芯（Ａ）は型抜きＶ字刃（１）の中に納まって出てくる。
型抜きＶ字刃（１）に納まった玉葱の芯（Ａ）は、取り出し窓（４）から指などで型抜きＶ字刃（１）方向へ即ち下に押し出せば取れるが、玉葱の芯（Ａ）は切除の度に順次上方へ押しやられるので、その都度取り出す事無くそのまま続けて作業が出来る。
また、玉葱の芯（Ａ）を除去した痕は、皮が摘み易く簡単に引き剥がせる。
次ぎに、図３で示すように、コイル刃（３）をピーマンのヘタ（Ｂ）に当て、押し込むようにコイル刃（３）を回転させると、コイル刃（３）の先端がピーマンのヘタ（Ｂ）周囲の一点からピーマン内部へ侵入し、種に絡みつきながら回転してゆき、型抜きギザ刃（２）がヘタ（Ｂ）上部に食い込んでゆき切断する。
型抜きギザ刃（２）をピーマンから引き抜くと、ピーマンのヘタ（Ｂ）はコイル刃（３）に絡め取られて出てくる。
絡まったピーマンのヘタ（Ｂ）は指で挟み持ち、コイル刃（３）の先端方向へ回転させればコイル刃（３）から抜き取る事が出来るが、コイル刃（３）に絡んだピーマンのヘタ（Ｂ）は順次上方へ押しやられるので、その都度取り出す必要が無く最後に取出し窓（４）から取り出しても良い。
【符号の説明】
【０００９】  １  型抜きＶ字刃、      ２  型抜きギザ刃、      ３  コイル刃、
４  取り出し窓、      ５  嵌着部、
Ａ  玉葱の芯、      Ｂ  ピーマンのヘタ、      Ｃ  手
【図１】
2020130984.tif 000003
【図２】
2020130984.tif 000004
【図３】
2020130984.tif 000005
【図４】
2020130984.tif 000006
【図５】
2020130984.tif 000007